(57)【要約】【課題】  原子力発電、火力発電、水力発電、風力発電、太陽光発電、これらの発電システムの全ては、外部エネルギーを利用し電気変換（発生）することにより行われてきた発電システムであるが、本発明は、これらからなる発電システム構築による設備投資、また、送電線設備などの膨大なコストを削減することとし、更に、二酸化炭素の排出量、放射性排気物質処理等の様々な問題を解決するものとする。【解決手段】  外部エネルギーを必要としない永久回転運動システム図１〜５などにより、この課題を解決する。【選択図】図１
2011080479.tif 000002
【特許請求の範囲】
【請求項１】
ドーナツ形の板を、相対とする双方２ヶ所を波がた形状に湾曲させた、前進運動の連続性を有する永久回転運動システム。
【請求項２】
固定用、並びに回転用双方２ヶ所に扇形永久磁石（平面体）を使用し、固定用磁石と回転用磁石同極の反発力により、重力、遠心力に、永久磁石の反発力を加えた前進運動の連続回転による永久回転運動システム。
【請求項３】
波がた形状板、固定用永久磁石、回転用永久磁石に基づいた仕組みにより、回転用永久磁石の走行開始段階では、磁力による反発力は発生しておらず、回転用永久磁石が斜面を下る際に磁力の反発力が働き、その反発方向は、回転進行方向となる。これにより、回転運動に必要な、重力、遠心力、加速度に加え、反発力による前進運動をエネルギーとして走行回転する。回転体は走行開始位置とは相対方向へと回転移動し、エネルギーの維持、継続、またその連続性による永久回転運動システム。
【発明の詳細な説明】
【技術分野】
【０００１】  本発明は、様々な発電システムのエネルギー源となる、自然エネルギー（水、火、風、太陽、ウラニウム等）に頼ることなく、特定固体内部エネルギー開発システムを実現したものである。
【背景技術】
【０００２】  現在においても永久運動の実現は無く、発電システムとしては外部エネルギーを利用している。従来からの発電システムのエネルギー源として、原子力、火力、風力、水力、太陽光等があり、特許文献は不明だが、背景技術としては、非特許文献１、非特許文献２に開示されているものがある。
【非特許文献１】  広瀬隆、藤田祐幸著、東京書籍株式会社発行、中央精版印刷株式会社印刷製本、平成１２年１１月１８日発行、Ｐ２２〜５４、Ｐ２２０〜２８３
【非特許文献２】  牛山泉著、日刊工業新聞社発行、新日本印刷株式会社印刷製本、平成２２年１月２０日発行、Ｐ５６〜９８
【発明の開示】
【発明が解決しようとする課題】
【０００３】  従来からなる発電システムには、環境、設備等、以下のような不備、不都合が指摘されており、これらの諸問題を解決することを課題とする。
１）  Ｃｏ２排出による環境破壊
２）  放射性廃棄物処理問題
３）  電力供給バランス
４）  屋外（外部送電線）ケーブルの多様化
【課題を解決するための手段】
【０００４】  この課題を解決するための請求項１の発明は、永久回転運動実現に必要不可欠な波がた形状板の固定、設置を目的とするものであり、それに伴い以下のような仕組みの製作を必要とする。（図１、図２、図３参照）
１）  回転軸（円柱棒）を中心とし、ベアリング等により枠のついた回転体を設置す          る。（回転体は固定台などにより本体中心位置に固定する）
２）  回転軸を中心とした特定寸法（波がた形状板円周＜回転棒の回転時の円周）に          よる双方２ヶ所の回転棒を回転軸に連結するにあたり、回転棒を上下に動作さ          せるための方法としてベアリング等を使い、回転体を回転軸に固定させる。（          位置：波がた形状板の水平位置）
３）  回転体に回転棒を取り付ける。（この段階で、回転棒が上下、また横３６０度          回転する）
４）  ドーナツ形の板を、相対とする双方２ヶ所を波がた形状に湾曲させた製作品（          波がた形状板）を台座などを使い回転軸を中心に設置、固定する。（板の材質          は、磁力、磁場などの影響の無いものであること。また、硬質であること）
５）  回転棒を波がた形状板上で走行させる為、回転棒にローラーを、波がた形状板          のレール上の中央位置にあわせ、取り付ける。【０００５】  更に請求項２の発明は、連続回転に必要な前進運動を出現させるための手段であり、それに伴い以下のような仕組みの製作を必要とする。（図１、図４参照）
１）  ［０００４］で仕組まれた形状体の回転棒双方の先端部に扇形の永久磁石（回          転用永久磁石）を取り付ける。（取り付け角度は基本的には水平だが、任意に          よる角度設定とする）
２）  波がた形状板の波形最上部外側（回転用永久磁石下部）から、波形最下部外側          に沿って回転永久磁石の同極を向かい合わせる形で扇形の永久磁石（固定用永          久磁石）を固定設置する。尚、設置にあたり以下のような、許容を有する条件          で行う。
Ａ）  互いの扇形永久磁石の外円は同等の円周にし、各磁石の大きさの比率は、              固定用＞回転用（固定用７〜９：回転用３〜１）
Ｂ）  固定用永久磁石の傾斜角度は波がた形状板の波形最上部から、波形最下部              に沿った角度と等しくする。
Ｃ）  固定用永久磁石終点部は反発磁場が高いことから、波がた形状板の波形最              下部を通過した位置で固定する。【０００６】  請求項３の発明は、固定用永久磁石と、回転用永久磁石との前進加速中の反発力効果タイミングを計ったものであり、前進を妨げる反発力（回転前進中の直接的な反発力）、また吸着効果を一切必要としない形態、形状システムにすることから、これにより、前進回転、及び加速を妨げず、また回転中のストレスを与えない仕組みをとることで、永久連続回転が可能となる。
（図４、図５参照）【０００７】  よって、走行開始地点では、本発明の形状特性から磁力による強度な反発力の影響を一切受けず、反発力最終地点においても、強い反発力の影響を防ぐ高価を成す。
【発明の効果】
【０００８】  本発明により、本体回転軸を「プロペラ形風車」あるいは「垂直軸風車」等に取り入れ、発電システムを実現化し、先に述べた諸問題を全面解消する可能性があり、また、これにより送電線設備が困難である場所においても発電可能となる。
【発明を実施するための最良の形態】
【０００９】  図１は、本発明本体の上部から見下ろした形の図面である。回転軸、波がた形状板、固定用永久磁石、回転用永久磁石の位置関係、また、進行方向を提示している。【００１０】  図２は、本発明本体の平面図で、波がた形状板の最上部におかれた回転棒、及び回転用永久磁石と、固定用永久磁石の位置関係を表し、当図面回転棒位置が走行開始地点となる。【００１１】  図３は、本発明本体の側面図で、波がた形状板の湾曲性を示唆したものである。【００１２】  図４は、固定用永久磁石、回転用永久磁石、ローラー、波がた形状板それぞれの走行開始時の移動変化を時系列化したものであり、回転走行開始時の磁場の無影響と、重力による前進運動中におこる双方の永久磁石の反発力からなる進行方向への前進運動エネルギーの出現を示唆したものである。【００１３】  図５は、本発明中の固定用永久磁石を取り除いた場合の回転効果を時系列で示し、また、その際のエネルギー量をエネルギーの生産、消費項目毎に数字変換し累積した図表である。（図５上部）【００１４】  次に、固定用永久磁石を特定位置に設置した場合の回転実現効果を時系列で示し、その際のエネルギー量を数字変換し累積した図表である。（図５下部）【００１５】  図５に記したように、固定永久磁石を使用しない場合では、のぼり傾斜途中でエネルギー量がなくなることがわかる。（図５−Ｇ参照）また、固定永久磁石を特定位置に設置した場合については、半円周回転後の地点で、走行開始と同数の累積数となる。【００１６】  本発明品の永久回転運動による仕組みそのものの材質としては、固定用永久磁石、また、回転用永久磁石による磁場、吸着などに影響を与えない材質を使用することは必須条件となるが、磁場外部については、特に特定する必要は無い。【００１７】  また、回転用永久磁石の形態は、扇形に限らず、反発力効果を目的とするための形状、直方体、立方体、あるいは丸みのある形状タイプでもよい。
【産業上の利用可能性】
【００１８】  本発明に係る永久回転運動システムは、工業的に量産する事が可能であるため、産業上の利用可能性を有する。
【図面の簡単な説明】
【００１９】
【図１】  本発明、永久回転運動システムの上面図である
【図２】  本発明、永久回転運動システムの平面図である
【図３】  本発明、永久回転運動システムの側面図である
【図４】  回転運動中による双方の永久磁石位置関係を時系列で描いた図である
【図５】  回転運動中による回転運動時の、エネルギー生産、消費数を時系列で描いた図である。
【符号の説明】
【００２０】  １      固定用永久磁石
２      回転用永久磁石
３      ローラー
４      波がた形状板
５      回転軸
６      回転体
７      本体固定台
８      固定用永久磁石固定板
９      回転棒
１０    波がた形状板台座
１１    ベアリング
１２    ベアリング固定カバー
１３    本体固定台
【図１】
2011080479.tif 000003
【図２】
2011080479.tif 000004
【図３】
2011080479.tif 000005
【図４】
2011080479.tif 000006
【図５】
2011080479.tif 000007